Podtech/llm-jp-corpus-v4-ja_patent huggingface dataset:
【手続補正書】
【提出日】平成21年11月19日(2009.11.19)
【手続補正１】
【補正対象書類名】特許請求の範囲
【補正対象項目名】全文
【補正方法】変更
【補正の内容】
【特許請求の範囲】
【請求項１】
高解像度シーケンスと呼ばれる高解像度プログレッシブピクチャシーケンスのピクチャの少なくとも１つのピクセルブロックについて、低解像度シーケンスと呼ばれる低解像度インタレースピクチャシーケンスのピクチャに係る動きデータから少なくとも１つの動き予測要素を生成する方法であって、
各インタレースピクチャは、ボトムフィールドとインタレースされたトップフィールドを有し、フレームモード又はフィールドモードにより符号化可能であり、
各プログレッシブピクチャ及びインタレースピクチャの各フィールドは、それと時間リファレンスとを関連付け、
前記高解像度ピクチャの少なくとも１つのピクセルブロックについて、前記低解像度ピクチャがフィールドモードにより符号化される場合、前記高解像度ピクチャと同じ時間リファレンスの低解像度ピクチャのトップ及び／又はボトムフィールドの少なくとも１つのピクセルブロックに係る動きデータに基づき、前記少なくとも１つの動き予測要素が生成され、
前記高解像度ピクチャが低解像度ピクチャのトップ又はボトムフィールドと同じ時間リファレンスを有し、前記低解像度ピクチャがフレームモードにより符号化される場合、前記高解像度ピクチャの少なくとも１つのピクセルブロックについて、前記低解像度ピクチャの少なくとも１つのピクセルブロックに係る動きデータに基づき、前記少なくとも１つの動き予測要素が生成され、そうでない場合、動き予測要素は生成されない、
ことを特徴とする方法。
【請求項２】
前記低解像度ピクチャがフィールドモードにより符号化される場合、前記ピクチャの水平方向の水平レイヤ間レシオと前記ピクチャの垂直方向の第１垂直レイヤ間レシオとによって、前記高解像度ピクチャと同じ時間リファレンスの前記低解像度ピクチャのトップ及び／又はボトムフィールドの少なくとも１つのピクセルブロックに係る動きデータをサブサンプリングすることによって、前記少なくとも１つの動き予測要素が生成される、請求項１記載の方法。
【請求項３】
前記低解像度ピクチャがフレームモードにより符号化され、前記高解像度ピクチャが前記低解像度ピクチャのトップ又はボトムフィールドと同じ時間リファレンスを有する場合、前記ピクチャの水平方向の水平レイヤ間レシオと前記ピクチャの垂直方向の第２垂直レイヤ間レシオとによって、前記低解像度ピクチャの少なくとも１つのピクセルブロックに係る動きデータをサブサンプリングすることによって、前記少なくとも１つの動き予測要素が生成される、請求項１又は２記載の方法。
【請求項４】
前記高解像度ピクチャの少なくとも１つのピクセルブロックについて、前記高解像度ピクチャと同じ時間リファレンスの低解像度ピクチャのトップ又はボトムフィールドの少なくとも１つのピクセルブロックに係るテクスチャデータに基づき、テクスチャ予測要素が生成される、請求項１乃至３何れか一項記載の方法。
【請求項５】
前記ピクチャの水平方向の水平レイヤ間レシオと前記ピクチャの垂直方向の第１垂直レイヤ間レシオとによって、前記高解像度ピクチャと同じ時間リファレンスの低解像度ピクチャのトップ又はボトムフィールドの少なくとも１つのピクセルブロックに係るテクスチャデータをサブサンプリングすることによって、前記テクスチャ予測要素が生成される、請求項３に従属する請求項４記載の方法。
【請求項６】
前記水平レイヤ間レシオは、前記低解像度ピクチャのフィールドの幅により除された前記高解像度ピクチャの幅に等しく、
前記第１垂直レイヤ間レシオは、前記低解像度ピクチャのフィールドの高さにより除された前記高解像度ピクチャの高さに等しく、
前記第２垂直レイヤ間レシオは、前記低解像度ピクチャの高さにより除された前記高解像度ピクチャの高さに等しい、請求項３乃至５何れか一項記載の方法。
【請求項７】
前記低解像度ピクチャに係る動きデータは、動きベクトルを有する、請求項１乃至６何れか一項記載の方法。
【請求項８】
フレームモードにより符号化された低解像度ピクチャ又はフィールドモードにより符号化された低解像度ピクチャのトップ及びボトムの各フィールドに係る動きベクトルは、同一のパリティを有する、請求項７記載の方法。
【請求項９】
当該方法は、低解像度ピクチャから高解像度ピクチャを符号化する方法により利用される、請求項１乃至８何れか一項記載の方法。
【請求項１０】
前記低解像度ピクチャは、ＭＰＥＧ−４  ＡＶＣ規格により符号化される、請求項９記載の方法。
【請求項１１】
当該方法は、低解像度ピクチャから高解像度ピクチャを復号化する方法により利用される、請求項１乃至８何れか一項記載の方法。
【請求項１２】
コンピュータ上で実行されるとき、請求項１乃至８何れか一項記載の方法の各ステップを実行するプログラムコード命令を有するコンピュータプログラム。
【手続補正書】
【提出日】平成21年11月9日(2009.11.9)
【手続補正１】
【補正対象書類名】特許請求の範囲
【補正対象項目名】請求項６
【補正方法】変更
【補正の内容】
【請求項６】
変調入力としての役目を果たすベースバンド情報信号各々に対するトランジスタ回路（２８；４０）を含み、前記トランジスタ回路夫々はミキサと相互コンダクタンスとを組合せた回路として機能する変調器であって、
前記ベースバンド情報信号により駆動され、変調器出力ノード（３０；３２）を対応する相互コンダクタンス素子に結合する第１のトランジスタと、
局部発振器信号により駆動され、前記対応する相互コンダクタンス素子を信号接地ノード（３４；３８）に結合する第２のトランジスタとを有し、
前記第１のトランジスタは前記ベースバンド情報信号によって駆動されることに応じて変調電流信号を生成し、前記第２のトランジスタは前記局部発振器信号によって駆動されることに応じて前記変調電流信号をアップコンバートすることを特徴とする変調器。
【手続補正２】
【補正対象書類名】特許請求の範囲
【補正対象項目名】請求項８
【補正方法】変更
【補正の内容】
【請求項８】
局部発振器が前記変調器に含まれるか、或は関係し、
前記局部発振器は、所望の周波数で、２５％或は約２５％のデューティサイクルで前記局部発振器信号を生成するよう構成されていることを特徴とする請求項６に記載の変調器。
【手続補正書】
【提出日】平成21年11月25日(2009.11.25)
【手続補正１】
【補正対象書類名】特許請求の範囲
【補正対象項目名】請求項２６
【補正方法】変更
【補正の内容】
【請求項２６】
コンピュータ実行可能なコンポーネントが装置に含まれる処理ユニットで実行されるとき、前記装置に請求項１４記載のステップを実行させる前記コンピュータ実行可能なコンポーネントを含むコンピュータプログラム。
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
ウイルス感染していると診断された被検体に投与するための、有効量のシステアミン化合物を含む、ウイルス感染を治療するための薬学的組成物。
【請求項２】
ウイルス感染が、トリインフルエンザウイルス、アデノウイルス、ヘルペスウイルス、ヒトパピローマウイルス、パルボウイルス、レオウイルス、ピコルナウイルス、コロナウイルス、フラビウイルス、トガウイルス、オルソミクソウイルス、ブンヤウイルス、ラブドウイルス、およびパラミクソウイルスからなる群より選択される、請求項1記載の薬学的組成物。
【請求項３】
1日に2 mg〜3,000 mgの間のシステアミン化合物が投与されるように用いられることを特徴とする、請求項1記載の薬学的組成物。
【請求項４】
システアミン化合物が、システアミン、システアミン塩、システアミンのプロドラッグ、システアミンの類似体、システアミンの誘導体、システアミンの抱合体、およびシステアミンの代謝産物からなる群より選択される、請求項1記載の薬学的組成物。
【請求項５】
システアミン塩が、システアミン塩酸塩またはシステアミンリン酸塩である、請求項1記載の薬学的組成物。
【請求項６】
システアミン化合物が、経口的に、非経口的に、静脈内に、筋肉内に、経皮的に、口腔内経路で、皮下的に、または坐剤経路で服用されるように用いられることを特徴とする、請求項1記載の薬学的組成物。
【請求項７】
ウイルス感染していると診断された被検体に投与されるための、有効量のシステアミン化合物を含む、ウイルス感染に伴う合併症の重症度、強さ、または持続期間を低減するための薬学的組成物。
【請求項８】
システアミン化合物が、システアミン塩酸塩またはシステアミンリン酸塩である、請求項7記載の薬学的組成物。
【請求項９】
ウイルス感染を予防するための有効量のシステアミン化合物および抗ウイルス薬を含む組成物。
【請求項１０】
ウイルス感染がトリインフルエンザウイルスであり、かつ抗ウイルス薬がガンシクロビル、アシクロビル、ホスカネット、アマンタジン、リマンタジン、およびオセルタミビルからなる群より選択される、請求項9記載の組成物。
【手続補正書】
【提出日】平成21年11月17日(2009.11.17)
【手続補正１】
【補正対象書類名】特許請求の範囲
【補正対象項目名】請求項１
【補正方法】変更
【補正の内容】
【請求項１】
マイクロリアクタ用のガラスフリットを製造するのに適したホウケイ酸ガラス組成物であって、
モルパーセント（モル％）で表して：
Ｂ2Ｏ3＝１２〜２２モル％、
ＳｉＯ2＝６８〜８０モル％、
の基礎ガラス組成、および
（ａ）Ａｌ2Ｏ3＝３〜８モル％およびＬｉ2Ｏ＝１〜８モル％、または
（ｂ）Ｋ2Ｏ＝０〜２モル％およびＮａ2Ｏ＝０〜２モル％、ただし、Ｋ2ＯとＮａ2Ｏの両方が同時にはゼロとなり得ない、
のいずれかからなる群から選択される追加の成分、
を有し、
前記ガラス組成物が前記基礎ガラス組成および（ａ）のものである場合、該組成物は、さらに、１．０〜１．４モル％の量の酸化カルシウム（ＣａＯ）、０．５±０．１モル％の量の酸化ジルコニウム（ＺｒＯ2）、１．５モル％未満の量のフッ素（Ｆ）、および３モル％未満の量の酸化ナトリウム（Ｎａ2Ｏ）からなる群より選択される１種類以上の物質を必要に応じて含むことができ、
焼結後、前記組成物を有するガラスフリットが、３０μｍ以下しか表面結晶層を有さないか、または全体に亘り非晶質であることを特徴とするガラス組成物。
【手続補正２】
【補正対象書類名】特許請求の範囲
【補正対象項目名】請求項１５
【補正方法】変更
【補正の内容】
【請求項１５】
モルパーセント（モル％）で表して、Ｂ2Ｏ3＝１８〜２２モル％、ＳｉＯ2＝７５〜８０モル％、Ｋ2Ｏ＝０〜２モル％、およびＮａ2Ｏ＝０〜２モル％、ただし、Ｋ2ＯとＮａ2Ｏの両方が同時にはゼロとなり得ない、の組成を有するホウケイ酸ガラスフリット。
【手続補正３】
【補正対象書類名】明細書
【補正対象項目名】０００８
【補正方法】変更
【補正の内容】
【０００８】
本発明はさらに、モルパーセント（モル％）で表して：
Ｂ2Ｏ3＝１２〜２２モル％、
ＳｉＯ2＝６８〜８０モル％、
の基礎組成、および
（ａ）Ａｌ2Ｏ3＝３〜８モル％およびＬｉ2Ｏ＝１〜８モル％、または
（ｂ）Ｋ2Ｏ＝０〜２モル％およびＮａ2Ｏ＝０〜２モル％、ただし、Ｋ2ＯとＮａ2Ｏの両方が同時にはゼロとなり得ない、
のいずれかの群から選択される追加の物質、
を有するホウケイ酸ガラスおよびガラスフリットに関する。その上、１．０〜１．４モル％の量の酸化カルシウム（ＣａＯ）、０．５±０．１モル％の量の酸化ジルコニウム（ＺｒＯ2）、１．５モル％未満の量のフッ素（Ｆ）、および３モル％未満の量の酸化ナトリウム（Ｎａ2Ｏ）の内の１種類以上を、上述した（ａ）および基礎組成のガラスの組合せに必要に応じて加えても差し支えない。
【手続補正４】
【補正対象書類名】明細書
【補正対象項目名】０００９
【補正方法】変更
【補正の内容】
【０００９】
本発明は、モルパーセント（モル％）で表して、Ｂ2Ｏ3＝１８〜２２モル％、ＳｉＯ2＝７５〜８０モル％、Ｋ2Ｏ＝０〜２モル％、およびＮａ2Ｏ＝０〜２モル％、ただし、Ｋ2ＯとＮａ2Ｏの両方が同時にはゼロとなり得ない、の組成を有するホウケイ酸ガラスおよびガラスフリットにも関する。
【手続補正５】
【補正対象書類名】明細書
【補正対象項目名】００１８
【補正方法】変更
【補正の内容】
【００１８】
本発明のホウケイ酸ガラスフリットは、モルパーセント（モル％）で表して：
Ｂ2Ｏ3＝１２〜２２モル％、
ＳｉＯ2＝６８〜８０モル％、
の基礎組成、および
（ａ）Ａｌ2Ｏ3＝３〜８モル％およびＬｉ2Ｏ＝１〜８モル％、または
（ｂ）Ｋ2Ｏ＝０〜２モル％およびＮａ2Ｏ＝０〜２モル％、ただし、Ｋ2ＯとＮａ2Ｏの両方が同時にはゼロとなり得ない、
のいずれかの追加の物質、
を有する。その上、１．０〜１．４モル％の量の酸化カルシウム（ＣａＯ）、０．５±０．１モル％の量の酸化ジルコニウム（ＺｒＯ2）、１．５モル％未満の量のフッ素（Ｆ）、および３モル％未満の量の酸化ナトリウム（Ｎａ2Ｏ）の内の１種類以上を、上述した（ａ）（他の成分の量は、それに応じて調節される）および基礎組成のガラスの組合せに必要に応じて加えても差し支えない。
【手続補正６】
【補正対象書類名】明細書
【補正対象項目名】００１９
【補正方法】変更
【補正の内容】
【００１９】
本発明によるホウケイ酸ガラスおよびガラスフリットは、モルパーセント（モル％）で表して、Ｂ2Ｏ3＝１８〜２２モル％、ＳｉＯ2＝７５〜８０モル％、Ｋ2Ｏ＝０〜２モル％、およびＮａ2Ｏ＝０〜２モル％、ただし、Ｋ2ＯとＮａ2Ｏの両方が同時にはゼロとなり得ない、の組成を有し得る。
【手続補正７】
【補正対象書類名】明細書
【補正対象項目名】００２１
【補正方法】変更
【補正の内容】
【００２１】
Ｅａｇｌｅ２０００基板、および当業者に公知の類似の基板用の好ましいガラス組成物は、モルパーセント（モル％）で表して、Ｂ2Ｏ3＝１８〜２２モル％、ＳｉＯ2＝７５〜８０モル％、Ｋ2Ｏ＝０〜２モル％、およびＮａ2Ｏ＝０〜２モル％、ただし、Ｋ2ＯとＮａ2Ｏの両方が同時にはゼロとなり得ない、の組成を有する。好ましい組成は：
４．  ＳｉＯ2＝７８．０±０．５モル％、Ｂ2Ｏ3＝２０．４±０．５モル％、
Ｋ2Ｏ＝０〜１．０±０．２モル％、および
Ｎａ2Ｏ＝０．８〜１．６±０．２モル％；
である。特に好ましい組成は：
５．  ＳｉＯ2＝７８．０±０．５モル％、Ｂ2Ｏ3＝２０．４±０．５モル％、
Ｋ2Ｏ＝０．４±０．２モル％、およびＮａ2Ｏ＝１．２±０．２モル％；および
６．  ＳｉＯ2＝７８．０±０．５モル％、Ｂ2Ｏ3＝２０．４±０．５モル％、
Ｋ2Ｏ＝０モル％、およびＮａ2Ｏ＝１．６±０．２モル％；
である。フリットに適した先のガラス組成物は、熱処理後、３０μｍ以下の、好ましくは２０μｍ以下の、最も好ましくは１０μｍ以下の結晶化層深さを有する。
【手続補正書】
【提出日】平成21年11月26日(2009.11.26)
【手続補正１】
【補正対象書類名】特許請求の範囲
【補正対象項目名】全文
【補正方法】変更
【補正の内容】
【特許請求の範囲】
【請求項１】
３−ヨード−Ｌ−フェニルアラニン又は４−ヨード−Ｌ−フェニルアラニンを含む、悪性新形成を治療するための医薬組成物。
【請求項２】
前記医薬組成物中の３−ヨード−Ｌ−フェニルアラニン又は４−ヨード−Ｌ−フェニルアラニンが、治療される対象に０．００１〜１００ｍｇ／ｋｇ対象体重の投与量で投与される、請求項１に記載の組成物。
【請求項３】
当該ハロゲン化−Ｌ−フェニルアラニンが４−ヨード−Ｌ−フェニルアラニンである、請求項１又は２に記載の組成物。
【請求項４】
悪性新形成が、悪性グリオーマ、多発性骨髄腫、悪性メラノーマ、前立腺癌及び乳癌からなる群から選択される、請求項１〜３のいずれか１項に記載の組成物。
【請求項５】
当該グリオーマが、グリア芽腫、アストロザイトーマ（astrozytoma）、オリゴアストロザイトーマ（oligoastrozytoma）及び上衣腫からなる群から選択される、請求項４に記載の組成物。
【請求項６】
新形成の悪性細胞又は組織に対して、放射線増感作用、細胞増殖抑制作用、及び／又は化学療法又は放射線治療に対する獲得された又は本質的な細胞耐性の状態を元に戻す作用を有する、請求項１〜５のいずれか１項に記載の組成物。
【請求項７】
化学療法剤、免疫療法剤、遺伝子治療剤、ワクチン剤、アンチセンスヌクレオチド治療剤、ｓｉＲＮＡ治療剤、及び／又は内部放射線治療剤をさらに含む、請求項１〜６のいずれか１項に記載の組成物。
【請求項８】
その後に経皮的に放射線照射される患者に投与されるものである、請求項１〜７のいずれか１項に記載の組成物。
【請求項９】
静脈内投与又は経口投与される、請求項１に記載の組成物。
【請求項１０】
単回投与として一回投与されるか、２〜６０の分画投与の分画投与として投与されるか、又は疾患が再度進行するまで若しくは対象の死亡まで毎日与えられる連続投与として投与される、請求項１に記載の組成物。
【請求項１１】
対象が、前記組成物による治療に加えて、外科的治療、化学療法、内部又は外部放射線治療、免疫療法、遺伝子治療、ワクチン治療、アンチセンスヌクレオチド治療、ｓｉＲＮＡ治療、腔内照射療法又はデバイスベース治療からなる群から選択される付随治療によって処置される、請求項１に記載の組成物。
【請求項１２】
付随治療が、前記組成物の投与の後に対象を経皮的に放射線照射する工程を含む外部放射線治療である、請求項１１に記載の組成物。
【請求項１３】
放射線照射の工程が、前記組成物の投与の後０〜７日間行なわれる、請求項１２に記載の組成物。
【請求項１４】
放射線照射の工程が、１〜１００Ｇｙの量の患者の累積外部照射で行なわれる、請求項１３に記載の組成物。
【請求項１５】
当該付随治療が、化学療法剤、免疫療法剤、遺伝子治療剤、アンチセンスヌクレオチド治療剤、ｓｉＲＮＡ治療剤、ワクチン剤、及び／又は内部放射線治療剤の投与、又は放射性デバイスのインプラントを含む、請求項１１に記載の組成物。
【請求項１６】
化学療法剤、免疫療法剤、遺伝子治療剤、アンチセンスヌクレオチド治療剤、ｓｉＮＲＡ治療剤、ワクチン剤、及び／又は内部放射線治療剤の投与が、前記組成物の投与の前に、同時に、及び／又は後に行なわれる、請求項１５に記載の組成物。
【請求項１７】
対象がヒト対象である、請求項１に記載の組成物。
【請求項１８】
３−ヨード−Ｌ−フェニルアラニン又は４−ヨード−Ｌ−フェニルアラニンを含み、当該ヨウ素が、安定な非放射性［１２７Ｉ］ヨウ素同位体である、医薬組成物。
【請求項１９】
担体、安定化剤及び／又は賦形剤の適切な製剤をさらに含む、請求項１８に記載の医薬組成物。
【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
17-アリルアミノ-17-デメトキシゲルダマイシン(17-AAG)の精製された多形体C。
【請求項２】
17-アリルアミノ-17-デメトキシゲルダマイシン(17-AAG)の精製された多形体G。
【請求項３】
(a)精製された多形体C、精製された多形体G、及びそれらの組合わせより選ばれる多形体を含む17-AAG及び(b)少なくとも一つの医薬的に許容され得る賦形剤を含む医薬用懸濁製剤。
【請求項４】
(A)17-AAGが水性媒体に懸濁した粒子として約2.5〜約75質量パーセントの量で存在し、17-AAGが約50nm〜約3.0ミクロンの粒子径分布と約200〜約400nmの中央粒径(容積分布)を有し、(B)少なくとも一つの医薬的に許容され得る賦形剤が、(i)ポリオキシエチレンソルビタンとC12-C20脂肪酸のエステルであって、該エステルと17-AAGとの質量比は約0.20〜約1.0である前記エステル、(ii)ポリオキシエチレン-ポリオキシプロピレンブロックコポリマーであって、該ブロックコポリマーと17-AAGとの質量比は約0.5〜約1.0である前記ブロックコポリマー、(iii)ホスファチジルコリンであって、該ホスファチジルコリンと17-AAGとの質量比は約0.04〜約0.1である前記ホスファチジルコリン; 及び(iv)それらの組合わせからなる群より選ばれる界面活性剤を含む、
請求項3に記載の医薬用懸濁製剤。
【請求項５】
少なくとも一つの医薬的に許容され得る賦形剤が、更に、炭水化物を含む、請求項3に記載の医薬用懸濁製剤。
【請求項６】
炭水化物がスクロースである、請求項5に記載の医薬用懸濁製剤。
【請求項７】
界面活性剤が、ポリオキシエチレンソルビタンとC12-C20脂肪酸のエステルと、ホスファチジルコリンとの組合わせを含む、請求項4に記載の医薬用懸濁製剤。
【請求項８】
ポリオキシエチレンソルビタンとC12-C20脂肪酸のエステルが、ポリオキシエチレンソルビタンモノオレエートである、請求項7に記載の医薬用懸濁製剤。
【請求項９】
界面活性剤が、ポリオキシエチレン-ポリオキシプロピレンブロックコポリマーとホスファチジルコリンの組合わせを含む、請求項8に記載の医薬用懸濁製剤。
【請求項１０】
静脈内投与される、請求項3に記載の医薬用懸濁製剤。
【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
ＵＣＨ−Ｌ１の阻害剤を含む癌転移を抑制するための組成物。
【請求項２】
ＵＣＨ−Ｌ１の阻害剤がＵＣＨ−Ｌ１のｓｈＲＮＡｉである請求項１に記載の組成物。
【請求項３】
ＵＣＨ−Ｌ１のｓｈＲＮＡｉが配列番号８，９および１０のオリゴヌクレオチドから選択される１以上のオリゴヌクレオチドである請求項２に記載の組成物。
【請求項４】
ＵＣＨ−Ｌ１の阻害剤がＵＣＨ−Ｌ１のモノクローナル抗体である請求項１に記載の組成物。
【請求項５】
ＵＣＨ−Ｌ１の阻害剤がＵＣＨ−Ｌ１のＮ−末端領域に位置する１１個のアミノ酸に対するポリモノクローナル抗体である請求項１に記載の組成物。
【請求項６】
配列番号１のアミノ酸配列を有するＵＣＨ−Ｌ１タンパク質を含む癌転移阻害剤をスクリーニングするための組成物。
【請求項７】
配列番号２の塩基配列を有するＵＣＨ−Ｌ１遺伝子を含む癌転移阻害剤をスクリーニングするための組成物。
【請求項８】
癌転移を抑制するための医薬の製造におけるＵＣＨ−Ｌ１の阻害剤の使用。
【請求項９】
ＵＣＨ−Ｌ１の阻害剤がＵＣＨ−Ｌ１のｓｈＲＮＡｉである請求項８に記載の使用。
【請求項１０】
ＵＣＨ−Ｌ１のｓｈＲＮＡｉが配列番号８，９および１０のオリゴヌクレオチドから選択される１以上のオリゴヌクレオチドである請求項９に記載の使用。
【請求項１１】
ＵＣＨ−Ｌ１の阻害剤がＵＣＨ−Ｌ１のモノクローナル抗体である請求項８に記載の使用。
【請求項１２】
ＵＣＨ−Ｌ１の阻害剤がＵＣＨ−Ｌ１のＮ−末端領域に位置する１１個のアミノ酸に対するポリクローナル抗体である請求項８に記載の使用。
【請求項１３】
癌転移阻害剤をスクリーニングするための配列番号１のアミノ酸配列を有するＵＣＨ−Ｌ１タンパク質の使用。
【請求項１４】
癌転移阻害剤をスクリーニングするための配列番号２の塩基配列を有するＵＣＨ−Ｌ１遺伝子の使用。
【請求項１５】
標的物質として配列番号１のアミノ酸配列を有するＵＣＨ−Ｌ１タンパク質を含む癌転移阻害剤をスクリーニングするための組成物に、試験試料を接触させ、ついでその反応を調べ、それによって試験試料が該タンパク質の機能を活性化するかまたは抑制するかを決定することからなる癌転移阻害剤のスクリーニング方法。
【請求項１６】
標的物質として配列番号２の塩基配列を有するＵＣＨ−Ｌ１遺伝子を含む癌転移阻害剤をスクリーニングするための組成物に、試験試料を接触させ、ついでその反応を調べ、それによって試験試料が該遺伝子の発現を活性化するかまたは抑制するかを決定することからなる癌転移阻害剤のスクリーニング方法。
【請求項１７】
ＵＣＨ−Ｌ１のＮ−末端領域に位置する１１個のアミノ酸に対するポリクローナル抗体を含む癌転移を診断するための組成物。
【請求項１８】
癌転移を診断するための組成物の製造における、ＵＣＨ−Ｌ１のＮ−末端領域に位置する１１個のアミノ酸に対するポリクローナル抗体の使用。
【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
バインダで結合され、配列されたグラファイトフレークを含むグラファイト体であって、該グラファイトが、２００μｍを超える平均粒径を有し、且つ該グラファイト体が、４００ＷｍＫ-1を超える面内熱伝導率を有することを特徴とするグラファイト体。
【請求項２】
前記グラファイト体が、３０ＷｍＫ-1未満の面外熱伝導率を有する請求項１に記載のグラファイト体。
【請求項３】
前記グラファイト粉末は、９５重量％を超えるグラファイトが５００μｍを超えるフレークサイズを有するフレークサイズ分布を有する請求項１に記載のグラファイト体。
【請求項４】
前記バインダが、有機前駆体の炭化残渣又は黒鉛化残渣である請求項１に記載のグラファイト体。
【請求項５】
前記有機前駆体の黒鉛化残渣が、メソフェーズピッチの黒鉛化残渣を含む請求項４に記載のグラファイト体。
【請求項６】
コバルト源を用いて測定された（００２）最大Ｘ線強度のタイムランダム強度が、６０より大きい請求項１に記載のグラファイト体。
【請求項７】
前記グラファイト体が湾曲している請求項１〜６のいずれか一項に記載のグラファイト体。
【請求項８】
前記グラファイト体が、１．７ｇ・ｃｍ-3より大きい密度を有する請求項１〜６のいずれか一項に記載のグラファイト体。
【請求項９】
前記グラファイト体が、１．７５ｇ・ｃｍ-3より大きい密度を有する請求項８に記載のグラファイト体。
【請求項１０】
ａ）グラファイト粉末とバインダとの混合物を形成する工程と、
ｂ）前記混合物を加圧して、前記グラファイト粉末を配列させると共に、グラファイトとバインダとの物体を形成する工程と、
ｃ）前記物体を炭化する工程と、任意に、
ｄ）前記物体を黒鉛化する工程と
を含むグラファイト体の製造方法であって、
前記加圧の条件が、請求項１〜９のいずれか一項に記載のグラファイト体が得られるようであることを特徴とするグラファイト体の製造方法。
【請求項１１】
前記加圧工程が、ホットプレスすることを含む請求項１０に記載の方法。
【請求項１２】
前記加圧工程が、ホットプレスする前にコールドプレスする工程を含む請求項１１に記載の方法。
【請求項１３】
前記加圧工程が、圧延することを含む請求項１０に記載の方法。
【請求項１４】
前記バインダがメソフェーズピッチであり、且つ前記物体が黒鉛化される請求項１０に記載の方法。
【請求項１５】
前記グラファイト粉末は、５０重量％を超えるグラファイトが２００μｍを超えるフレークサイズを有するフレークサイズ分布を有する請求項１０に記載の方法。
【請求項１６】
９５重量％を超えるグラファイトが５００μｍを超えるフレークサイズを有する請求項１５に記載の方法。
【請求項１７】
前記バインダが、５００μｍより小さい粒径を有するメソフェーズピッチである請求項１４に記載の方法。
【請求項１８】
前記メソフェーズピッチが、２００μｍより小さい粒径を有する請求項１７に記載の方法。
【請求項１９】
前記グラファイトとピッチとの物体が、炭化する前に湾曲される請求項１０〜１８のいずれか一項に記載の方法。
【請求項２０】
前記物体が、前記炭化工程より前にピッチ又は他の炭化接着剤を用いてグラファイト前駆体に固定され、得られた組立体が、炭化され、任意に黒鉛化されて単一体を形成する請求項１０〜１８のいずれか一項に記載の方法。
【請求項２１】
物品から放熱させる方法であって、
請求項１〜９のいずれか一項に記載のグラファイト体又は請求項１０〜２０のいずれか一項に記載の方法によって製造されるグラファイト体を、前記物品と接触させることを含む物品から放熱させる方法。
【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
多孔質コージエライトセラミックハニカム物品であって、
ＭA＜２２２０、または
ＭT＞２６６０、
ここで、
ＭA＝3645(ＩA)−106(ＣＴＥ)＋19(ｄ90)＋17(気孔率％)、
ＭT＝4711(ＩT)＋116(ＣＴＥ)−26(ｄ90)−28(気孔率％)、および
９×１０-7／℃以下の２５から８００℃のＣＴＥ、
を含むことを特徴とする多孔質コージエライトセラミックハニカム物品。
【請求項２】
少なくとも４０％かつ５４％未満の気孔率％をさらに含むことを特徴とする請求項１記載の多孔質コージエライトセラミックハニカム物品。
【請求項３】
ｄ50≧１３μｍのメジアン細孔径ｄ50をさらに含むことを特徴とする請求項１記載の多孔質コージエライトセラミックハニカム物品。
【請求項４】
１０μｍ≦ｄ50≦２５μｍのメジアン細孔径ｄ50をさらに含むことを特徴とする請求項１記載の多孔質コージエライトセラミックハニカム物品。
【請求項５】
少なくとも１つの方向でＣＴＥ≦８×１０-7／℃（２５〜８００℃）をさらに含むことを特徴とする請求項１記載の多孔質コージエライトセラミックハニカム物品。
【請求項６】
少なくとも１つの方向でＣＴＥ≦５×１０-7／℃（２５〜８００℃）をさらに含むことを特徴とする請求項１記載の多孔質コージエライトセラミックハニカム物品。
【請求項７】
ＭA＜２０００、または
ＭT＞２９００、
をさらに含むことを特徴とする請求項１記載の多孔質コージエライトセラミックハニカム物品。
【請求項８】
ＭA＜１８００、または
ＭT＞３０００、
をさらに含むことを特徴とする請求項１記載の多孔質コージエライトセラミックハニカム物品。
【請求項９】
気孔率％≦５２％、
ｄ90≦２９μｍ、
ＩA≦０．３３、
少なくとも１つの方向でＣＴＥ≦８×１０-7／℃（２５〜８００℃）、および
ｄ50≧１０μｍ、
をさらに含むことを特徴とする請求項１記載の多孔質コージエライトセラミックハニカム物品。
【請求項１０】
ＭA＜２２２０、および
ＭT＞２６６０、
をさらに含むことを特徴とする請求項１記載の多孔質コージエライトセラミックハニカム物品。
【請求項１１】
３４．４（ＩA）−８．７と定義される量よりも大きい、軸方向での２５から８００℃の平均ＣＴＥ（１０-7／℃）をさらに含むことを特徴とする請求項１記載の多孔質コージエライトセラミックハニカム物品。
【請求項１２】
多孔質コージエライトセラミックハニカム物品を製造する方法であって、
タルク、アルミナ形成源、シリカ形成源、および０〜１８質量％のカオリンまたはか焼カオリンを含有する無機原料であって、７μｍ未満のメジアン粒径を有する細粒カオリン源は８質量％以下しか含まれず、該細粒カオリン源が８質量％より多く含まれる場合は、焼成中に遅い上昇速度が用いられる無機原料を、加工助剤および随意的な細孔形成剤と混合して、可塑化混合物を形成する工程、
前記可塑化混合物をハニカム構造に形成する工程、および
前記ハニカム構造を焼成して、５４％未満の気孔率を有する多孔質コージエライトセラミックハニカム物品を形成する工程であって、８質量％より多く細粒カオリン源が用いられる場合には、前記遅い上昇速度が、２０℃／時以下の１２００から１３００℃までの平均加熱速度を含む工程、
を有してなる方法。
【請求項１３】
前記タルクが３８〜４２質量％で存在し、
前記アルミナ形成源が、３４〜３８質量％で存在し、少なくとも５μｍの質量平均メジアン粒径を有し、
前記シリカ形成源が、１０〜２４質量％で存在し、少なくとも１０μｍのメジアン粒径を有する、
ことを特徴とする請求項１２記載の方法。
【請求項１４】
７μｍ未満のメジアン粒径を有する前記細粒カオリン源が４質量％以下しか含まれないことを特徴とする請求項１２記載の方法。
【請求項１５】
前記多孔質コージエライトセラミックハニカム物品が、ｄ90≦３３μｍを含むことを特徴とする請求項１２記載の方法。
【手続補正書】
【提出日】平成21年11月11日(2009.11.11)
【手続補正１】
【補正対象書類名】特許請求の範囲
【補正対象項目名】全文
【補正方法】変更
【補正の内容】
【特許請求の範囲】
【請求項１】
虚血性損傷を患っている患者を治療するための医薬組成物であって、幹細胞因子（ＳＣＦ）をコードしている核酸を含んでなり、前記核酸が損傷部位へ送達され、そこで細胞により取り込まれかつＳＣＦが発現されることを特徴とする、医薬組成物。
【請求項２】
前記ＳＣＦが、分泌可能型のＳＣＦである、請求項１に記載の医薬組成物。
【請求項３】
前記ＳＣＦが、図１のアミノ酸２６−１６５を含んでなる、請求項２に記載の医薬組成物。
【請求項４】
前記ＳＣＦが、膜結合型のＳＣＦである、請求項１に記載の医薬組成物。
【請求項５】
前記ＳＣＦが、図１のアミノ酸２５−２４５を含んでなる、請求項４に記載の医薬組成物。
【請求項６】
前記ＳＣＦが、膜結合型及び分泌可能型双方のＳＣＦである、請求項１に記載の医薬組成物。
【請求項７】
前記ＳＣＦが、ヒトＳＣＦである、請求項１に記載の医薬組成物。
【請求項８】
前記核酸がベクターである、請求項１に記載の医薬組成物。
【請求項９】
前記ベクターがウイルスベクターである、請求項８に記載の医薬組成物。
【請求項１０】
前記ウイルスベクターが、感染性のウイルス粒子内にパッケージされている、請求項９に記載の医薬組成物。
【請求項１１】
前記ウイルスベクターが、アデノウイルス、レトロウイルス、単純ヘルペスウイルス、ウシ乳頭腫ウイルス、アデノ随伴ウイルス、レンチウイルスベクター、ワクシニアウイルス、又はポリオーマウイルスからなる群より選択される、請求項９に記載の医薬組成物。
【請求項１２】
前記ウイルスベクターが、アデノウイルス、又はアデノ随伴ウイルスベクターである、請求項９に記載の医薬組成物。
【請求項１３】
前記損傷が心臓血管系に関連する、請求項１に記載の医薬組成物。
【請求項１４】
前記損傷が、心筋梗塞、虚血性発作、末梢血管疾患、及び心不全からなる群より選択される症状に関連する、請求項１に記載の医薬組成物。
【請求項１５】
カテーテルを用いて損傷部位へ送達される、請求項１に記載の医薬組成物。
【請求項１６】
虚血心組織に送達される、請求項１に記載の医薬組成物。
【請求項１７】
虚血心組織への送達のため冠動脈循環へ送達される、請求項１に記載の医薬組成物。
【請求項１８】
心臓壁に移植された装置を用いて虚血心組織へ送達される、請求項１に記載の医薬組成物。
【請求項１９】
損傷部位におけるＳＣＦの発現が、修復をもたらすべき部位へ細胞を動員するべく作用する、請求項１に記載の医薬組成物。
【請求項２０】
１以上のサイトカイン又はケモカインとともに投与される、請求項１に記載の医薬組成物。
【請求項２１】
前記サイトカインが、Ｇ−ＣＳＦ及びＧＭ−ＣＳＦからなる群より選択される、請求項２０に記載の医薬組成物。
【請求項２２】
細胞とともに投与されない、請求項１に記載の医薬組成物。
【請求項２３】
細胞とともに投与される、請求項１に記載の医薬組成物。
【請求項２４】
前記細胞が幹細胞である、請求項２３に記載の医薬組成物。
【請求項２５】
前記幹細胞が、患者から採取された組織からエキソビボで産生されるものである、請求項２４に記載の医薬組成物。
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
成分の総量が100％となる
(a) 基本薬剤：テルミサルタンのモル比が1:1〜10:1の基本薬剤
(b) 最終組成物の約1〜20質量％の界面活性剤又は乳化剤、及び
(c) 25〜70質量％の水溶性希釈剤、
を含有する溶解マトリックス中に分散した、3〜50質量％のテルミサルタンを含む第一層、及び崩壊錠剤マトリックス中に利尿剤を含む第二層を含有する二層医薬錠剤。
【請求項２】
溶解錠剤マトリックスが速やかな放出特性を有する、請求項1記載の二層医薬錠剤。
【請求項３】
溶解マトリックスの基本薬剤が金属水酸化物であり、又はNaHCO3, KHCO3, Na2CO3, K2CO3, Na2HPO4, K2HPO4、塩基性アミノ酸、及びメグルミン（N-メチル-D-グルカミン）から選択される、請求項1記載の二層医薬錠剤。
【請求項４】
界面活性剤及び乳化剤がポロキサマー又はプルロニック、ポリエチレングリコール、モノステアリン酸ポリエチレングリコール、ポリソルベート、ラウリル硫酸ナトリウム、ポリエトキシレート化及び水素化ヒマシ油から選択される、請求項1記載の二層医薬製剤。
【請求項５】
溶解マトリックスの水溶性希釈剤が、単糖、オリゴ糖、及び糖アルコールから選択される、請求項1記載の二層医薬錠剤。
【請求項６】
溶解マトリックスの他の賦形剤及び／又は補助薬が、結合剤、担体、潤滑剤、流量制御剤、結晶化抑制剤、可溶化剤及び着色剤から選択される、請求項1記載の二層医薬錠剤。
【請求項７】
利尿剤を含む崩壊錠剤マトリックスが、充填剤、結合剤、崩壊剤を含有する、請求項1〜6のいずれか１項に記載の二層医薬錠剤。
【請求項８】
他の賦形剤及び補助薬が担体、希釈剤、潤滑剤、流量制御剤、可溶化剤、着色剤、pH制御剤、界面活性剤及び乳化剤から選択される、請求項7に記載の二層医薬錠剤。
【請求項９】
10〜160mgのテルミサルタン、及び5〜50mgの利尿剤を含む、請求項1〜8のいずれか１項に記載の二層医薬錠剤。
【請求項１０】
利尿剤がヒドロクロロチアジドである、請求項1〜9のいずれか1項に記載の二層医薬錠剤。
【請求項１１】
請求項1に記載の第一錠剤層を調製するための流動床顆粒化方法。
【請求項１２】
第一錠剤層を圧縮する間に適用される圧縮力：第一及び第二錠剤両層を圧縮する間に適用される圧縮力の比率が、1：10〜1：2の範囲である、請求項1に記載の二層錠剤の調製方法。
【誤訳訂正書】
【提出日】平成22年5月11日(2010.5.11)
【誤訳訂正１】
【訂正対象書類名】特許請求の範囲
【訂正対象項目名】全文
【訂正方法】変更
【訂正の内容】
【特許請求の範囲】
【請求項１】
ａ．入口開口と出口開口を有し、その内部にフィルター又は膜を有しておらず、さらに下記ｂに記載の中空体（２）に取り外し可能に配置されている開通中空体（１）と、
ｂ．入口開口と出口開口を有し、その内部に膜を有する開通中空体（２）
とからなるカラム結合体を含む核酸を洗浄するための器具。
【請求項２】
２〜４μｍの範囲の孔径を有するガラス繊維膜が該中空体（２）内に膜として備え付けられていることを特徴とする、請求項１に記載の器具。
【請求項３】
ＧＦ／Ｄ膜が該ガラス繊維膜として用いられていることを特徴とする、請求項２に記載の器具。
【請求項４】
該中空体（２）が、イオン交換クロマトグラフィーに適したカラムであって、該カラムの内部表面がイオン交換に適したクロマトグラフィー材料でコートされていることを特徴とする、請求項１〜３のいずれか１項に記載の器具。
【請求項５】
下記ａ）〜ｃ）の工程を含む核酸洗浄方法、
ａ）請求項１〜４のいずれか１項に記載の器具に核酸混合物を導入する工程、
ｂ）１〜５の炭素原子を有する脂肪族系アルコールの存在下で核酸を結合する工程、
ｃ）溶出緩衝液で該中空体（２）内の膜から核酸を溶出する工程。
【請求項６】
請求項１〜４のいずれか１項に記載の中空体（１）および中空体（２）を含む、請求項５に記載の方法を実施するためのキット。
【請求項７】
核酸を洗浄するための器具、少なくとも一つの細胞培養培地、少なくとも一つの再懸濁緩衝液、溶解緩衝液、中和緩衝液、洗浄緩衝液および/または溶出緩衝液を含む、請求項６に記載のキット。
【誤訳訂正２】
【訂正対象書類名】明細書
【訂正対象項目名】００４１
【訂正方法】変更
【訂正の内容】
【００４１】
中間／最大規模のための大容量に適合するために、スピンカラムには適切な拡張用チューブを取り付ける。核酸を洗浄するための発明に係る器具は、したがって、下記のものからなるカラム結合体を含む：
ａ．入口開口と出口開口を有し、さらに下記ｂに記載の中空体（２）に配置されている開通中空体（１）
ｂ．入口開口と出口開口を有し、その内部に取り付けられた１又はそれ以上の膜を有する開通中空体（２）
【誤訳訂正３】
【訂正対象書類名】明細書
【訂正対象項目名】００４２
【訂正方法】変更
【訂正の内容】
【００４２】
カラム／拡張用器具結合体を、その後、真空槽（例えばキアゲン社、４０７２４ヒルデン、によって製造されたＱＩＡｖａｃ(登録商標)６Ｓ）に置き、そして試料は真空によって膜を通して汲み出される。拡張用チューブはその後に廃棄され、そして、該ミニスピンカラムを公知の最小調製方法（例えば、キアゲン社、４０７２４ヒルデン、によって製造されたＱＩＡｐｒｅｐ(登録商標)を使用して）に従ってさらに処理する。
【誤訳訂正４】
【訂正対象書類名】明細書
【訂正対象項目名】００４６
【訂正方法】変更
【訂正の内容】
【００４６】
（１）２ｍｌの再懸濁緩衝液で細菌ペレットを再懸濁する（３分）。
（２）２ｍｌの溶解緩衝液を加えて、注意深く混合する。約３分間溶解する。
（３）２ｍｌの中性化緩衝液を加えて、ひっくり返すことにより混合する（１分間）。
（４）シリカ（クイアフィルター（ＱＩＡｆｉｌｔｅｒ） キアゲン）を含むろ過カラムに原溶解物を置き、室温で３分間培養し、原溶解物をカラム材料内に圧し通す。
（５）スピンカラム上に１０ｍｌの拡張用チューブを置き、そしてＱＩＡｖａｃ(登録商標)（キアゲン）上に配置する。
（６）溶解物に２．５ｍｌのイソプロパノールを加えて、よく混合して、そしてカラム上に置く。
（７）真空の助力により２分間カラム材料を通して混合物液を吸う。
（８）拡張用チューブを廃棄する。
（９）回収用チューブ（回収容器）上にシリカ膜を含むスピンカラムを置く。
（１０）７５０μｌの緩衝液ＰＥ（キアゲン、市販のアルコール洗浄緩衝液）を加えることにより洗浄し、１４，０００ｒｐｍで１分間遠心分離する。
（１１）緩衝液残留物を除去するために１４，０００ｒｐｍで１分間、一度以上遠心分離する。
（１２）スピンカラムを１．５ｍｌのエッペンドルフチューブに交換する。
（１３）溶出のために、２００μｌの溶出緩衝液（ＥＢ）、例えば市販の溶出緩衝液ＴＥを膜の上にピペットで加え、１分間置き、そして遠心分離する（１４，０００ｒｐｍで１分間）。
【誤訳訂正５】
【訂正対象書類名】明細書
【訂正対象項目名】００５５
【訂正方法】変更
【訂正の内容】
【００５５】
＜いわゆる最大規模での大腸菌からのプラスミドＤＮＡの単離＞
大腸菌からのプラスミドＤＮＡの単離用プロトコール。
プラスミドｐＣＭＶβ（ＢＤバイオサイエンス社からの、ＤＨ５α／ｐＣＭＶβ）を有する１００ｍｌの大腸菌ＤＨ５α−の培養。
（１）５ｍｌの再懸濁緩衝液で細菌ペレットを再懸濁する（３分）。
（２）５ｍｌの溶解緩衝液を加えて、注意深く混合する。約３分間溶解する。
（３）５ｍｌの中性化緩衝液を加えて、ひっくり返すことにより混合する（１分間）。
（４）シリカ（クイアフィルター キアゲン）を含むろ過カラムに原溶解物を置き、室温で３分間培養し、原溶解物をカラム材料内に圧し通す。
（５）スピンカラム上に２０ｍｌの拡張用チューブを置き、そしてＱＩＡｖａｃ(登録商標)（キアゲン社）上に配置する。
（６）溶解物に７ｍｌのイソプロパノールを加えて、よく混合して、そしてカラム上に置く。
（７）真空の助力により２分間カラム材料を通して混合物液を吸う。
（８）拡張用チューブを廃棄する。
（９）回収用チューブ（回収容器）上にシリカ膜を含むスピンカラムを置く。
（１０）７５０μｌの緩衝液ＰＥ（キアゲン社、市販のアルコール洗浄緩衝液）を加えることにより洗浄し、１４，０００ｒｐｍで１分間遠心分離する。
（１１）緩衝液残留物を除去するために１４，０００ｒｐｍで１分間、一度以上遠心分離する。
（１２）スピンカラムを１．５ｍｌのエッペンドルフチューブに交換する。
（１３）溶出のために、２００μｌの溶出緩衝液（ＥＢ）、例えば市販の溶出緩衝液ＴＥを膜の上にピペットで加え、１分間置き、そして遠心分離する（１４，０００ｒｐｍで１分間）。
【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
コンピュータネットワークと通信するコンピュータと、前記コンピュータネットワークと通信するサーバとを有し、前記コンピュータと前記サーバとが前記コンピュータネットワークを通じて互いに通信するコンピュータに実装された暗号化及び暗号解読システムであって、
コンピュータユーザ名に関連するコンピュータユーザ識別子は、ある順序で配列された予め設定された識別子要素のセットから選択されたｎ（ここでｎはゼロよりも大きな整数）個の識別子要素を含み、
グラフィカルユーザインターフェースが前記コンピュータと通信し、第１の画像及び第２の画像を表示するようにされており、
前記第１の画像は１つよりも多いセクションを含み、前記第２の画像に隣接して配置され、
前記第１の画像の各セクションは、前記予め設定された識別子要素のセットのサブセットを表す画像を含み、
前記第２の画像は１つよりも多いセクションを含み、
前記第２の画像の各セクションは、予め設定されたマーカ記号のセットの構成要素である少なくとも１つのマーカ記号の少なくとも１つの画像を含み、
前記グラフィカルユーザインターフェースはまた、第１の位置決めボタンの画像を表示するようにされており、
前記第１の位置決めボタンは、コンピュータユーザによって起動されて、前記第１の画像に対する第１の位置から該第１の画像に対する第２の位置まで前記第２の画像の第１のユーザ選択セクションを移動させるようにされており、
前記第１の位置から前記第２の位置までの移動が変位を定義し、
前記コンピュータは、前記ｎ個のユーザ識別子要素の各々に関連する前記変位を表すデータを前記サーバに送信することによって、前記ユーザ識別子を暗号化形式で前記サーバに送信するようにされており、
前記サーバは、前記データを受信し格納するようにされており、
前記サーバは、前記データ及び前記ユーザ名に関連する前記ユーザ識別子の第１のユーザ識別子要素から前記変位を求めるようにされており、
前記サーバは、前記ユーザ名に関連する前記ユーザ識別子の第１のユーザ識別子要素と前記変位を相関付けることによって前記第１のユーザ選択セクションに関連するユーザ選択マーカ記号を判定するようにされている、
ことを特徴とするシステム。
【請求項２】
前記予め設定された識別子要素が英数字であることを特徴とする請求項１に記載のシステム。
【請求項３】
前記予め設定された識別子は、ネットワーク上でのユーザセッション中に少なくとも１回ランダムに選択された順序で配列されることを特徴とする請求項１に記載のシステム。
【請求項４】
前記第１の画像はホイール形状であることを特徴とする請求項１に記載のシステム。
【請求項５】
前記ホイール形画像は１つよりも多いセクターを含むことを特徴とする請求項４に記載のシステム。
【請求項６】
前記ホイール形画像は前記第２の画像から半径方向外方に延びることを特徴とする請求項４に記載のシステム。
【請求項７】
前記第２の画像はホイール形状であることを特徴とする請求項１に記載のシステム。
【請求項８】
前記ホイール形画像は１つよりも多いセクターを含むことを特徴とする請求項７に記載のシステム。
【請求項９】
前記予め設定されたマーカ記号のセットが非英数字記号を含むことを特徴とする請求項１に記載のシステム。
【請求項１０】
前記予め設定されたマーカ記号のセットは、前記ネットワーク上でのユーザセッション中に少なくとも１回ランダムに選択された順序で配列されることを特徴とする請求項１に記載のシステム。
【請求項１１】
前記第２の画像の各セクションは１つのマーカ記号のみを含むことを特徴とする請求項１に記載のシステム。
【請求項１２】
全ての予め設定された識別子要素が前記予め設定されたマーカ記号のセットの構成要素ではないことを特徴とする請求項１に記載のシステム。
【請求項１３】
前記第１の画像が直線形状を有することを特徴とする請求項１に記載のシステム。
【請求項１４】
前記第２の画像は直線形状を有することを特徴とする請求項１に記載のシステム。
【請求項１５】
前記ユーザ名、前記変位データ、及び前記ユーザ選択マーカ記号からｎ個のユーザ識別子要素の各々を判定することによって、前記コンピュータから暗号化形式で受信したユーザ識別子を暗号解読するようにされている前記サーバを更に含むことを特徴とする請求項１に記載のシステム。
【手続補正書】
【提出日】平成22年7月23日(2010.7.23)
【手続補正１】
【補正対象書類名】特許請求の範囲
【補正対象項目名】全文
【補正方法】変更
【補正の内容】
【特許請求の範囲】
【請求項１】
透析液（１３０）を含む透析液供給装置（１２５）と、
溶液（２００）を含む溶液供給装置（１９５）と、
溶液（２００）を患者の血液と連通させる透析装置（１０５）とを備え、
溶液（２００）中の少なくとも１つの導電性を備えた溶質の濃度は、患者の血液と連通させるに先立って、患者の血中の少なくとも１つの導電性を備えた溶質の濃度に略匹敵することを特徴とする透析器具（１００）。
【請求項２】
前記少なくとも１つの導電性を備えた溶質は、リン酸塩、硫酸塩、重炭酸塩、カリウム、カルシウム、及びマグネシウムからなる一群から選択されるか、任意により前記少なくとも１つの導電性を備えた溶質は、リン酸塩、硫酸塩、重炭酸塩、カリウム、カルシウム、及びマグネシウムからなることを特徴とする請求項１に記載の透析器具（１００）。
【請求項３】
溶液を患者の血液と連通させるに先立って、溶液（２００）の導電性を測定すべく位置される第１の電導度検出器（２２０）と、
溶液（２００）を患者の血液と連通させた後に、溶液（２００）の導電性を測定すべく位置される第２の電導度検出器（２２５）と、
溶液（２００）の測定された導電性の機能により患者の血中のナトリウムの濃度を測定する制御ユニット（２３０）とを更に備えたことを特徴とする請求項１又は２に記載の透析器具（１００）。
【請求項４】
前記透析装置（１０５）は透析液（１３０）を患者の血液と連通させるべく位置されることと、透析液（１３０）は血中の測定されたナトリウム濃度に略匹敵するナトリウム濃度を有することとを特徴とする請求項３に記載の透析器具（１００）。
【請求項５】
前記透析液（１３０）のナトリウム濃度は、血液の測定されたナトリウム濃度と約５％及び／又は約７．０ｍＥｑ／Ｌ（約７．０ｍｍｏｌ／Ｌ）以下だけ異なることを特徴とする請求項４に記載の透析器具（１００）。
【請求項６】
前記透析液供給装置（１２５）は、透析液の濃縮液（１８０）と水とを混合することにより透析液（１３０）を準備するための混合機（１５５）を備えることを特徴とする請求項４又は５に記載の透析器具（１００）。
【請求項７】
前記透析器具（１００）は、透析液（１３０）に透析装置（１０５）を通過させるに先立って、溶液（２００）に透析装置（１０５）を通過させることを特徴とする請求項４に記載の透析器具（１００）。 
【請求項８】
前記透析器具（１００）は、溶液（２００）が透析装置（１０５）を通過する時間が、透析液（１３０）が透析装置（１０５）を通過する時間より短くなるように構成されるか、任意により、透析器具（１００）は、溶液（２００）が透析装置（１０５）を約５分以下通過するように構成されることを特徴とする請求項７に記載の透析器具（１００）。
【請求項９】
制御ユニット（２３０）は、患者の血中のナトリウム濃度が、透析液（１３０）が透析装置（１０５）を所定の時間にわたって通過した後に測定された患者の血液のナトリウム濃度と約５％以下だけ異なるように、透析液供給装置（１２５）を制御することを特徴とする請求項４又は５に記載の透析器具（１００）。
【請求項１０】
患者の母集団の血中の１つ以上の導電性溶質の測定された平均レベルと略等しく、ナトリウム以外の１つ以上の導電性溶質のレベルを有する、患者の血中のナトリウム濃度を測定する溶液（２００）を準備する工程を含む方法。
【請求項１１】
前記患者の母集団は血液透析患者の母集団からなることを特徴とする請求項１０に記載の方法。
【請求項１２】
前記複数の導電性溶質はリン酸塩、硫酸塩、重炭酸塩、カリウム、カルシウム、及びマグネシウムからなる一群から選択される１つ以上の材料からなることを特徴とする請求項１０又は１１に記載の方法。
【請求項１３】
前記溶液（２００）はナトリウムを更に含むことを特徴とする請求項１２に記載の方法。
【請求項１４】
患者の血中のナトリウム濃度を測定するための溶液（２００）であって、同溶液は請求項１０乃至１３のいずれか一項に記載の溶液を準備することにより得られることを特徴とする溶液（２００）。
【請求項１５】
透析液（１３０）を準備する方法であって、同透析液（１３０）は患者の血中に存し測定されるナトリウム濃度に略匹敵するナトリウム濃度を含むべく準備されることと、測定される導電性を示す値が請求項１４に記載の導電性試験溶液（２００）の導電性を測定することにより好適に得られることとを特徴とする透析液（１３０）を準備する方法。
【手続補正書】
【提出日】平成22年7月30日(2010.7.30)
【手続補正１】
【補正対象書類名】明細書
【補正対象項目名】００２２
【補正方法】変更
【補正の内容】
【００２２】
図１はＶＡＤシステム５の一実施形態を示す図である。図１には、皮膚のすぐ外にて、ポンプ１５とコントローラ２０との間に、インラインコネクタ１０を示してある。インラインコネクタ１０は、患者が粘着テープ等の方法を用いて皮膚に当てて配置できるよう、断面が低く平坦に設計されている。インラインコネクタ１０は、図示した位置で、ＶＡＤシステム５の移植用部品を妨げないで経皮ケーブル３０の遠位端２５交換を可能にする。
【手続補正２】
【補正対象書類名】明細書
【補正対象項目名】００２３
【補正方法】変更
【補正の内容】
【００２３】
図２に示すように、インラインコネクタ１０のポンプ側３２は、インラインコネクタ本体４０から分離する「トンネル式コネクタ」３５を有する。反対側では、コントローラ２０に至るケーブル４５にインラインコネクタ本体４０を接続できる。ポンプ側３２は手術時に皮膚を通過するように設計されている。接続は位置等に基づいて呼称されることがある。例えば、コネクタは遠位分離カプラと称することがあり、経皮ケーブルの遠位端は遠位コネクタ部及びケーブル部と称することがある。ＶＡＤ近位コネクタについても同じことが言える。